(57)【要約】【課題】本発明は、親展印刷ジョブの印刷時に様々な設定が可能であって親展印刷ジョブの受信者が期待する出力フォーマットでの印刷出力結果を得ることができる印刷装置を提供することを目的とする。【解決手段】本発明の印刷装置は、ホスト装置から受信した印刷ジョブが少なくとも暗証番号を添付された親展印刷ジョブであった場合であって、入力手段を介して暗証番号を入力し、入力された暗証番号が添付された暗証番号と一致したとき、当該親展印刷ジョブの出力フォーマットを所望の出力フォーマットに変更可能とする。【選択図】　　　　図２
2004042337.tif 000002
【特許請求の範囲】
【請求項１】
複数の給紙段と、複数の排紙段と、両面印刷手段と、集約印刷手段と、パンチやステープル等の後処理手段と、ホスト装置から受信した印刷ジョブをビットマップ展開するビットマップ展開手段と、暗証番号や出力フォーマットを入力する入力手段とを有する印刷装置において、
前記ホスト装置から受信した印刷ジョブが少なくとも暗証番号を添付された親展印刷ジョブであった場合であって、前記入力手段を介して暗証番号を入力し、入力された暗証番号が添付された暗証番号と一致したとき、当該親展印刷ジョブの出力フォーマットを所望の出力フォーマットに変更可能とすることを特徴とする印刷装置。
【請求項２】
前記出力フォーマットは印刷時に任意の給紙段である請求項１記載の印刷装置。
【請求項３】
前記出力フォーマットは印刷時に任意の排紙段である請求項１記載の印刷装置。
【請求項４】
前記出力フォーマットは印刷時に両面印刷又は片面印刷の指定である請求項１記載の印刷装置。
【請求項５】
前記出力フォーマットは印刷時に集約印刷の指定である請求項１記載の印刷装置。
【請求項６】
前記出力フォーマットは印刷時に後処理の指定である請求項１記載の印刷装置。
【発明の詳細な説明】
【０００１】
【発明の属する技術分野】
本発明は印刷装置に関し、詳細には親展印刷を行う際の印刷出力の出力フォーマットを変更する技術に関する。
【０００２】
【従来の技術】
一般に、親展印刷機能は、暗証番号を印刷ジョブに添付し、操作パネルから暗証番号を入力しないと印刷が開始されない機能である。ただし、現在の親展印刷機能では暗証番号を入力して文書を選択するだけなので、印刷出力の出力フォーマットは印刷ジョブ送信時に設定したものとなる。
【０００３】
【発明が解決しようとする課題】
しかしながら、親展印刷ジョブの送信者と親展印刷ジョブの受信者、つまり実際に印刷を開始する者が異なる場合、必ずしも親展印刷ジョブの受信者が期待する出力フォーマットで印刷出力されないことがある。
【０００４】
本発明はこのような問題点を解決するためのものであり、親展印刷ジョブの印刷時に様々な設定が可能であって親展印刷ジョブの受信者が期待する出力フォーマットでの印刷出力結果を得ることができる印刷装置を提供することを目的とする。
【０００５】
【課題を解決するための手段】
前記問題点を解決するために、複数の給紙段と、複数の排紙段と、両面印刷手段と、集約印刷手段と、パンチやステープル等の後処理手段と、ホスト装置から受信した印刷ジョブをビットマップ展開するビットマップ展開手段と、暗証番号や出力フォーマットを入力する入力手段とを有する、本発明の印刷装置によれば、ホスト装置から受信した印刷ジョブが少なくとも暗証番号を添付された親展印刷ジョブであった場合であって、入力手段を介して暗証番号を入力し、入力された暗証番号が添付された暗証番号と一致したとき、当該親展印刷ジョブの出力フォーマットを所望の出力フォーマットに変更可能とする。よって、親展印刷ジョブの印刷時に様々な設定が可能であって親展印刷ジョブの受信者が期待する出力フォーマットでの印刷出力結果を得ることができる。
【０００６】
また、出力フォーマットは印刷時に任意の給紙段であることで、期待する給紙段からの給紙が可能となる。または、出力フォーマットは印刷時に任意の排紙段であることで、期待する排紙段への排紙が可能となる。
【０００７】
更に、出力フォーマットは印刷時に両面印刷又は片面印刷の指定であることで、受信者が期待する両面印刷又は片面印刷での出力が可能となる。
【０００８】
また、出力フォーマットは印刷時に集約印刷の指定であることで、期待する集約印刷が可能となり、または出力フォーマットは印刷時に後処理の指定であることで、期待する後処理が可能となる。
【０００９】
【発明の実施の形態】
本発明の印刷装置は、ホスト装置から受信した印刷ジョブが少なくとも暗証番号を添付された親展印刷ジョブであった場合であって、入力手段を介して暗証番号を入力し、入力された暗証番号が添付された暗証番号と一致したとき、当該親展印刷ジョブの出力フォーマットを所望の出力フォーマットに変更可能とする。
【００１０】
【実施例】
図１は本発明の一実施例に係る印刷装置の構成を示すブロック図である。同図において、本実施例の印刷装置１０は、ホストＩ／Ｆ１１、記憶媒体１２、メモリ１３、ＲＯＭ１４、ユーザＩ／Ｆ１５及びエンジンＩ／Ｆ１６を含んで構成され、各構成部は内部バス１７を介して接続されている。また、エンジンＩ／Ｆ１６は、給紙段１８−１〜１８−Ｎ、排紙段１９−１〜１９−Ｎ、両面印刷部２０、集約印刷部２１及び後処理部２２に接続されている。そして、このような構成を有する本実施例の印刷装置によれば、ＲＯＭ１４に格納されている制御プログラムがメモリ１３へ展開され動作する。ホストＩ／Ｆ１１より受信された親展印刷ジョブは制御プログラムにより例えばＨＤＤなどの記憶媒体１２に蓄積される。ユーザＩ／Ｆ１５より暗証番号が入力されると、制御プログラムは記憶媒体１２から親展印刷ジョブを読み出し、メモリ１３へビットマップデータに展開し、エンジンＩ／Ｆ１６よりエンジンへ転送され印刷される。
【００１１】
次に、本実施例の印刷装置における親展印刷処理について動作フローを示す図２に従って説明する。同図において、先ず親展印刷か否かを判断し（ステップＳ１０１）、親展印刷であれば印刷ジョブに添付する暗証番号を入力する（ステップＳ１０１；ＹＥＳ、ステップＳ１０２）。その後、給紙段指定や排紙段指定等の出力フォーマットを入力するか否かを判断し（ステップＳ１０３）、入力する場合は出力フォーマットを設定する（ステップＳ１０３；ＹＥＳ、ステップＳ１０４）。そして、暗証番号及び出力フォーマットが添付された親展印刷を指定する（ステップＳ１０５）。一方、ステップＳ１０１で親展印刷を行わず通常印刷を行う場合は通常印刷を指定する（ステップＳ１０１；ＮＯ、ステップＳ１０６）。その後、指定された親展印刷又は通常印刷の印刷ジョブを作成し、印刷装置側に印刷ジョブを送信する（ステップＳ１０７，Ｓ１０８）。印刷装置側では、図１のホストＩ／Ｆ１１を介して印刷ジョブを受信すると、受信した印刷ジョブを図１の記憶媒体１２に一旦記憶する（ステップＳ１０９，Ｓ１１０）。そして、受信した印刷ジョブが親展印刷指定されているか否かを判断し、親展印刷が指定されていれば受信者は図１のユーザＩ／Ｆ１５から暗証番号を入力する（ステップＳ１１１；ＹＥＳ、ステップＳ１１２）。入力された暗証番号が印刷ジョブに添付された暗証番号と一致して正しいことを確認した後、印刷ジョブを図１のメモリ１３にビットマップ展開を行う（ステップＳ１１３；ＹＥＳ、ステップＳ１１４）。そして、印刷ジョブに添付された指定フォーマットが受信者にとって所望のフォーマットであるか否かを判断し、所望のフォーマットでないならば所望のフォーマットに変更する（ステップＳ１１５；ＮＯ、ステップＳ１１６）。一方、ステップＳ１１１で受信した印刷ジョブが親展印刷指定でないならば、受信した印刷ジョブは通常印刷指定であるとしビットマップ展開を行い、通常印刷を行う（ステップＳ１１１；ＮＯ、ステップＳ１１８，Ｓ１１９）。以上のように、親展印刷ジョブによる親展印刷時においてでも様々な設定が可能となり、親展印刷ジョブの受信者が所望の出力フォーマットでの印刷出力結果を得ることができる。
【００１２】
次に、図３は本実施例の印刷装置の詳細な構成を示すブロック図である。同図において、本実施例の印刷装置は、ジョブ受信手段３１、記憶手段３２、ビットマップ展開手段３３、ビットマップ転送手段３４、印刷手段３５、ユーザ入力手段３６、入力解析手段３７及び給紙段通知手段３８を含んで構成されている。
【００１３】
そして、このような構成を有する本実施例の印刷装置の親展印刷処理について動作フローを示す図４に従って説明する。同図において、先ず親展印刷か否かを判断し（ステップＳ２０１）、親展印刷であれば印刷ジョブに添付する暗証番号を入力する（ステップＳ２０１；ＹＥＳ、ステップＳ２０２）。その後、給紙段指定を入力するか否かを判断し（ステップＳ２０３）、入力する場合は給紙段情報の指定を設定する（ステップＳ２０３；ＹＥＳ、ステップＳ２０４）。そして、暗証番号及び給紙段情報が添付された親展印刷を指定する（ステップＳ２０５）。一方、ステップＳ２０１で親展印刷を行わず通常印刷を行う場合は通常印刷を指定する（ステップＳ２０１；ＮＯ、ステップＳ２０６）。その後、指定された親展印刷又は通常印刷の印刷ジョブを作成し、印刷装置側に印刷ジョブを送信する（ステップＳ２０７，Ｓ２０８）。印刷装置側では、図３のジョブ受信手段３１を介して印刷ジョブを受信すると、受信した印刷ジョブを図３の記憶手段３２に一旦記憶する（ステップＳ２０９，Ｓ２１０）。そして、受信した印刷ジョブが親展印刷指定されているか否かを判断し、親展印刷が指定されていれば受信者は図３のユーザ入力手段３６から暗証番号を入力する（ステップＳ２１１；ＹＥＳ、ステップＳ２１２）。入力された暗証番号が印刷ジョブに添付された暗証番号と一致して正しいことを確認した後、印刷ジョブを図３のビットマップ展開手段３３によってビットマップ展開を行う（ステップＳ２１３；ＹＥＳ、ステップＳ２１４）。そして、印刷ジョブに添付された給紙段情報が受信者にとって所望の給紙段であるか否かを判断し、所望の給紙段でないならば所望の給紙段に変更する（ステップＳ２１５；ＮＯ、ステップＳ２１６）。一方、ステップＳ２１１で受信した印刷ジョブが親展印刷指定でないならば、受信した印刷ジョブは通常印刷指定であるとしビットマップ展開を行い、通常印刷を行う（ステップＳ２１１；ＮＯ、ステップＳ２１８，Ｓ２１９）。以上のように、親展印刷ジョブによる親展印刷時においてでも様々な設定が可能となり、親展印刷ジョブの受信者が所望の給紙段で印刷出力結果を得ることができる。
【００１４】
次に、図５は本実施例の印刷装置の詳細な構成を示すブロック図である。同図において、図３と同じ参照符号は同じ構成要素を示す。異なる構成要素として、本実施例の印刷装置は、排紙段通知手段３９を含んで構成されている。
【００１５】
そして、このような構成を有する本実施例の印刷装置の親展印刷処理について動作フローを示す図６に従って説明する。同図において、先ず親展印刷か否かを判断し（ステップＳ３０１）、親展印刷であれば印刷ジョブに添付する暗証番号を入力する（ステップＳ３０１；ＹＥＳ、ステップＳ３０２）。その後、排紙段指定を入力するか否かを判断し（ステップＳ３０３）、入力する場合は排紙段情報の指定を設定する（ステップＳ３０３；ＹＥＳ、ステップＳ３０４）。そして、暗証番号及び排紙段情報が添付された親展印刷を指定する（ステップＳ３０５）。一方、ステップＳ３０１で親展印刷を行わず通常印刷を行う場合は通常印刷を指定する（ステップＳ３０１；ＮＯ、ステップＳ３０６）。その後、指定された親展印刷又は通常印刷の印刷ジョブを作成し、印刷装置側に印刷ジョブを送信する（ステップＳ３０７，Ｓ３０８）。印刷装置側では、図５のジョブ受信手段３１を介して印刷ジョブを受信すると、受信した印刷ジョブを図５の記憶手段３２に一旦記憶する（ステップＳ３０９，Ｓ３１０）。そして、受信した印刷ジョブが親展印刷指定されているか否かを判断し、親展印刷が指定されていれば受信者は図５のユーザ入力手段３６から暗証番号を入力する（ステップＳ３１１；ＹＥＳ、ステップＳ３１２）。入力された暗証番号が印刷ジョブに添付された暗証番号と一致して正しいことを確認した後、印刷ジョブを図５のビットマップ展開手段３３によってビットマップ展開を行う（ステップＳ３１３；ＹＥＳ、ステップＳ３１４）。そして、印刷ジョブに添付された排紙段情報が受信者にとって所望の排紙段であるか否かを判断し、所望の排紙段でないならば所望の排紙段に変更する（ステップＳ３１５；ＮＯ、ステップＳ３１６）。一方、ステップＳ３１１で受信した印刷ジョブが親展印刷指定でないならば、受信した印刷ジョブは通常印刷指定であるとしビットマップ展開を行い、通常印刷を行う（ステップＳ３１１；ＮＯ、ステップＳ３１８，Ｓ３１９）。以上のように、親展印刷ジョブによる親展印刷時においてでも様々な設定が可能となり、親展印刷ジョブの受信者が所望の排紙段で印刷出力結果を得ることができる。
【００１６】
次に、図７は本実施例の印刷装置の詳細な構成を示すブロック図である。同図において、図３と同じ参照符号は同じ構成要素を示す。異なる構成要素として、本実施例の印刷装置は、両面印刷通知手段４０を含んで構成されている。
【００１７】
そして、このような構成を有する本実施例の印刷装置の親展印刷処理について動作フローを示す図８に従って説明する。同図において、先ず親展印刷か否かを判断し（ステップＳ４０１）、親展印刷であれば印刷ジョブに添付する暗証番号を入力する（ステップＳ４０１；ＹＥＳ、ステップＳ４０２）。その後、両面印刷指定を入力するか否かを判断し（ステップＳ４０３）、入力する場合は両面印刷情報の指定を設定する（ステップＳ４０３；ＹＥＳ、ステップＳ４０４）。そして、暗証番号及び両面印刷情報が添付された親展印刷を指定する（ステップＳ４０５）。一方、ステップＳ４０１で親展印刷を行わず通常印刷を行う場合は通常印刷を指定する（ステップＳ４０１；ＮＯ、ステップＳ４０６）。その後、指定された親展印刷又は通常印刷の印刷ジョブを作成し、印刷装置側に印刷ジョブを送信する（ステップＳ４０７，Ｓ４０８）。印刷装置側では、図７のジョブ受信手段３１を介して印刷ジョブを受信すると、受信した印刷ジョブを図７の記憶手段３２に一旦記憶する（ステップＳ４０９，Ｓ４１０）。そして、受信した印刷ジョブが親展印刷指定されているか否かを判断し、親展印刷が指定されていれば受信者は図７のユーザ入力手段３６から暗証番号を入力する（ステップＳ４１１；ＹＥＳ、ステップＳ４１２）。入力された暗証番号が印刷ジョブに添付された暗証番号と一致して正しいことを確認した後、印刷ジョブを図７のビットマップ展開手段３３によってビットマップ展開を行う（ステップＳ４１３；ＹＥＳ、ステップＳ４１４）。そして、印刷ジョブに添付された排紙段情報が受信者にとって所望の両面印刷であるか否かを判断し、所望の両面印刷でないならば片面印刷に変更する（ステップＳ４１５；ＮＯ、ステップＳ４１６）。一方、ステップＳ４１１で受信した印刷ジョブが親展印刷指定でないならば、受信した印刷ジョブは通常印刷指定であるとしビットマップ展開を行い、通常印刷を行う（ステップＳ４１１；ＮＯ、ステップＳ４１８，Ｓ４１９）。以上のように、親展印刷ジョブによる親展印刷時においてでも様々な設定が可能となり、親展印刷ジョブの受信者が所望の、両面印刷又は片面印刷で印刷出力結果を得ることができる。
【００１８】
次に、図９は本実施例の印刷装置の詳細な構成を示すブロック図である。同図において、図３と同じ参照符号は同じ構成要素を示す。異なる構成要素として、本実施例の印刷装置は、集約印刷通知手段４１を含んで構成されている。
【００１９】
そして、このような構成を有する本実施例の印刷装置の親展印刷処理について動作フローを示す図１０に従って説明する。同図において、先ず親展印刷か否かを判断し（ステップＳ５０１）、親展印刷であれば印刷ジョブに添付する暗証番号を入力する（ステップＳ５０１；ＹＥＳ、ステップＳ５０２）。その後、集約印刷指定を入力するか否かを判断し（ステップＳ５０３）、入力する場合は集約印刷情報の指定を設定する（ステップＳ５０３；ＹＥＳ、ステップＳ５０４）。そして、暗証番号及び集約印刷情報が添付された親展印刷を指定する（ステップＳ５０５）。一方、ステップＳ５０１で親展印刷を行わず通常印刷を行う場合は通常印刷を指定する（ステップＳ５０１；ＮＯ、ステップＳ５０６）。その後、指定された親展印刷又は通常印刷の印刷ジョブを作成し、印刷装置側に印刷ジョブを送信する（ステップＳ５０７，Ｓ５０８）。印刷装置側では、図９のジョブ受信手段３１を介して印刷ジョブを受信すると、受信した印刷ジョブを図９の記憶手段３２に一旦記憶する（ステップＳ５０９，Ｓ５１０）。そして、受信した印刷ジョブが親展印刷指定されているか否かを判断し、親展印刷が指定されていれば受信者は図９のユーザ入力手段３６から暗証番号を入力する（ステップＳ５１１；ＹＥＳ、ステップＳ５１２）。入力された暗証番号が印刷ジョブに添付された暗証番号と一致して正しいことを確認した後、印刷ジョブを図９のビットマップ展開手段３３によってビットマップ展開を行う（ステップＳ５１３；ＹＥＳ、ステップＳ５１４）。そして、印刷ジョブに添付された集約印刷情報が受信者にとって所望の集約印刷であるか否かを判断し、所望の集約印刷でないならば所望の集約印刷に変更する（ステップＳ５１５；ＮＯ、ステップＳ５１６）。一方、ステップＳ５１１で受信した印刷ジョブが親展印刷指定でないならば、受信した印刷ジョブは通常印刷指定であるとしビットマップ展開を行い、通常印刷を行う（ステップＳ５１１；ＮＯ、ステップＳ５１８，Ｓ５１９）。以上のように、親展印刷ジョブによる親展印刷時においてでも様々な設定が可能となり、親展印刷ジョブの受信者が所望の集約印刷で印刷出力結果を得ることができる。
【００２０】
次に、図１１は本実施例の印刷装置の詳細な構成を示すブロック図である。同図において、図３と同じ参照符号は同じ構成要素を示す。異なる構成要素として、本実施例の印刷装置は、後処理通知手段４２を含んで構成されている。
【００２１】
そして、このような構成を有する本実施例の印刷装置の親展印刷処理について動作フローを示す図１２に従って説明する。同図において、先ず親展印刷か否かを判断し（ステップＳ６０１）、親展印刷であれば印刷ジョブに添付する暗証番号を入力する（ステップＳ６０１；ＹＥＳ、ステップＳ６０２）。その後、後処理指定を入力するか否かを判断し（ステップＳ６０３）、入力する場合は後処理情報の指定を設定する（ステップＳ６０３；ＹＥＳ、ステップＳ６０４）。そして、暗証番号及び後処理情報が添付された親展印刷を指定する（ステップＳ６０５）。一方、ステップＳ６０１で親展印刷を行わず通常印刷を行う場合は通常印刷を指定する（ステップＳ６０１；ＮＯ、ステップＳ６０６）。その後、指定された親展印刷又は通常印刷の印刷ジョブを作成し、印刷装置側に印刷ジョブを送信する（ステップＳ６０７，Ｓ６０８）。印刷装置側では、図１１のジョブ受信手段３１を介して印刷ジョブを受信すると、受信した印刷ジョブを図１１の記憶手段３２に一旦記憶する（ステップＳ６０９，Ｓ６１０）。そして、受信した印刷ジョブが親展印刷指定されているか否かを判断し、親展印刷が指定されていれば受信者は図１１のユーザ入力手段３６から暗証番号を入力する（ステップＳ６１１；ＹＥＳ、ステップＳ６１２）。入力された暗証番号が印刷ジョブに添付された暗証番号と一致して正しいことを確認した後、印刷ジョブを図１１のビットマップ展開手段３３によってビットマップ展開を行う（ステップＳ６１３；ＹＥＳ、ステップＳ６１４）。そして、印刷ジョブに添付された後処理情報が受信者にとって所望の後処理であるか否かを判断し、所望の後処理でないならば所望の後処理に変更する（ステップＳ６１５；ＮＯ、ステップＳ６１６）。一方、ステップＳ６１１で受信した印刷ジョブが親展印刷指定でないならば、受信した印刷ジョブは通常印刷指定であるとしビットマップ展開を行い、通常印刷を行う（ステップＳ６１１；ＮＯ、ステップＳ６１８，Ｓ６１９）。以上のように、親展印刷ジョブによる親展印刷時においてでも様々な設定が可能となり、親展印刷ジョブの受信者が所望の後処理で印刷出力結果を得ることができる。
【００２２】
なお、本発明は上記実施例に限定されるものではなく、特許請求の範囲内の記載であれば多種の変形や置換可能であることは言うまでもない。
【００２３】
【発明の効果】
以上説明したように、本発明の印刷装置は、複数の給紙段と、複数の排紙段と、両面印刷手段と、集約印刷手段と、パンチやステープル等の後処理手段と、ホスト装置から受信した印刷ジョブをビットマップ展開するビットマップ展開手段と、暗証番号や出力フォーマットを入力する入力手段とを有する。更に、ホスト装置から受信した印刷ジョブが少なくとも暗証番号を添付された親展印刷ジョブであった場合であって、入力手段を介して暗証番号を入力し、入力された暗証番号が添付された暗証番号と一致したとき、当該親展印刷ジョブの出力フォーマットを所望の出力フォーマットに変更可能とする。よって、親展印刷ジョブの印刷時に様々な設定が可能であって親展印刷ジョブの受信者が期待する出力フォーマットでの印刷出力結果を得ることができる。
【００２４】
また、出力フォーマットは印刷時に任意の給紙段であることで、期待する給紙段からの給紙が可能となる。または、出力フォーマットは印刷時に任意の排紙段であることで、期待する排紙段への排紙が可能となる。
【００２５】
更に、出力フォーマットは印刷時に両面印刷又は片面印刷の指定であることで、受信者が期待する両面印刷又は片面印刷での出力が可能となる。
【００２６】
また、出力フォーマットは印刷時に集約印刷の指定であることで、期待する集約印刷が可能となり、または出力フォーマットは印刷時に後処理の指定であることで、期待する後処理が可能となる。
【図面の簡単な説明】
【図１】本発明の一実施例に係る印刷装置の構成を示すブロック図である。
【図２】図１の本実施例の印刷装置における親展印刷処理を示すフローチャートである。
【図３】本実施例の印刷装置の詳細な構成を示すブロック図である。
【図４】図３の本実施例の印刷装置における親展印刷処理を示すフローチャートである。
【図５】本実施例の印刷装置の詳細な構成を示すブロック図である。
【図６】図５の本実施例の印刷装置における親展印刷処理を示すフローチャートである。
【図７】本実施例の印刷装置の詳細な構成を示すブロック図である。
【図８】図７の本実施例の印刷装置における親展印刷処理を示すフローチャートである。
【図９】本実施例の印刷装置の詳細な構成を示すブロック図である。
【図１０】図９の本実施例の印刷装置における親展印刷処理を示すフローチャートである。
【図１１】本実施例の印刷装置の詳細な構成を示すブロック図である。
【図１２】図１１の本実施例の印刷装置における親展印刷処理を示すフローチャートである。
【符号の説明】
１０；印刷装置、１１；ホストＩ／Ｆ、１２；記憶媒体、１３；メモリ、
１４；ＲＯＭ、１５；ユーザＩ／Ｆ、１６；エンジンＩ／Ｆ、１７；内部バス、
１８−１〜１８−Ｎ；給紙段、１９−１〜１９−Ｎ；排紙段、
２０；両面印刷部、２１；集約印刷部、２２；後処理部、
３１；ジョブ受信手段、３２；記憶手段、３３；ビットマップ展開手段、
３４；ビットマップ転送手段、３５；印刷手段、３６；ユーザ入力手段、
３７；入力解析手段、３８；給紙段通知手段、３９；排紙段通知手段、
４０；両面印刷通知手段、４１；集約印刷通知手段、４２；後処理通知手段。
【図１】
2004042337.tif 000003
【図２】
2004042337.tif 000004
【図３】
2004042337.tif 000005
【図４】
2004042337.tif 000006
【図５】
2004042337.tif 000007
【図６】
2004042337.tif 000008
【図７】
2004042337.tif 000009
【図８】
2004042337.tif 000010
【図９】
2004042337.tif 000011
【図１０】
2004042337.tif 000012
【図１１】
2004042337.tif 000013
【図１２】
2004042337.tif 000014